【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
複数の異なるフレームレートで動画データを送信する送信装置であって、
前記送信装置の状態情報を取得する取得手段と、
動画データを送信する送信手段と、
第１のフレームレートと、前記第１のフレームレートよりも低い第２のフレームレートとで動画データを前記送信手段が送信中に、送信中の動画データのフレームレートを前記状態情報に応じて下げる場合、前記第１のフレームレートに対して前記第１のフレームレートを下げる割合が、前記第２のフレームレートに対して前記第２のフレームレートを下げる割合よりも大きくなるように、前記第１及び第２のフレームレートを下げる変更手段とを有することを特徴とする送信装置。
【請求項２】
前記取得手段は、前記送信装置が動画データを前記第１のフレームレートと前記第２のフレームレートとで送信するための処理負荷を前記状態情報として取得し、
前記変更手段は、前記処理負荷が所定の負荷に達すると前記第１及び第２のフレームレートを下げることを特徴とする請求項１に記載の送信装置。
【請求項３】
送信すべき動画データを入力する入力手段を有し、
前記取得手段は、前記入力手段が前記動画データを入力してから前記第１のフレームレートと前記第２のフレームレートとで前記動画データを送信するまでの時間に関する処理時間を状態情報として取得し、
前記変更手段は、前記処理時間が所定の時間を超えると前記第１及び第２のフレームレートを下げることを特徴とする請求項１又は２に記載の送信装置。
【請求項４】
送信待ちの動画データを記憶する記憶手段を有し、
前記取得手段は、前記送信待ちの動画データのフレーム数、及び、前記送信待ちの動画データのデータ量のうち、少なくとも一方を前記状態情報として取得し、
前記変更手段は、前記取得されたフレーム数、及び、前記取得されたデータ量のうち、少なくとも一方が所定値を超えると、前記第１及び第２のフレームレートを下げることを特徴とする請求項１乃至３のうち、いずれか１項に記載の送信装置。
【請求項５】
前記変更手段は、前記第１のフレームレートと、前記第２のフレームレートと、更に、前記第２のフレームレートよりも低い第３のフレームレートで動画データを送信している場合、前記第１及び第２のフレームレートを変更する際に、前記第３のフレームレートが所定のフレームレートよりも低い場合、前記第３のフレームレートを下げないことを特徴とする請求項１乃至４のうち、いずれか１項に記載の送信装置。
【請求項６】
前記変更手段が第１のフレームレートを下げた後の第３のフレームレートと前記変更手段が前記第２のフレームレートを下げた後の第４のフレームレートとが同じフレームレートで、前記変更の後に取得された状態情報に応じて送信中の動画データのフレームレートを更に下げる場合、前記第３のフレームレートの変更後の第５のフレームレートよりも、前記第４のフレームレートの変更後の第６のフレームレートのほうが低くなるように、前記第３のフレームレートと前記第４のフレームレートを下げることを特徴とする請求項１乃至５のうち、いずれか１項に記載の送信装置。
【請求項７】
前記変更手段は、前記状態情報に応じて、前記変更手段が前記第１のフレームレートを下げた後の第３のフレームレートを前記変更前の前記第１のフレームレートに変更し、前記変更手段が前記第２のフレームレートを下げた後の第４のフレームレートを前記変更前の前記第２のフレームレートに変更することを特徴とする請求項１乃至６のうち、いずれか１項に記載の送信装置。
【請求項８】
複数の異なる解像度で動画データを送信する送信装置であって、
前記送信装置の状態情報を取得する取得手段と、
動画データを送信する送信手段と、
第１の解像度の動画データと、前記第１の解像度よりも低い第２の解像度の動画データとを前記送信手段が送信中に、前記状態情報に応じて動画データのフレームレートを下げるか否か決定し、前記状態情報に応じて動画データのフレームレートを下げる場合、前記第１の解像度の動画データのフレームレートを下げ、さらに、前記第１の解像度の動画データのフレームレートを下げた後の状態情報に応じて前記第２の解像度の動画データのフレームレートを下げるか否か決定する制御手段とを有することを特徴とする送信装置。
【請求項９】
複数の異なるフレームレートで動画データを送信する送信装置が行う送信方法であって、
前記送信装置の状態情報を取得する取得工程と、
動画データを送信する送信工程と、
第１のフレームレートと、前記第１のフレームレートよりも低い第２のフレームレートとで動画データを前記送信工程において送信中に、送信中の動画データのフレームレートを前記状態情報に応じて下げる場合、
前記第１のフレームレートに対して前記第１のフレームレートを下げる割合が、前記第２のフレームレートに対して前記第２のフレームレートを下る割合よりも大きくなるように、前記第１及び第２のフレームレートを下げる変更工程とを有することを特徴とする送信方法。
【請求項１０】
前記取得工程において、前記送信装置が動画データを前記第１のフレームレートと前記第２のフレームレートで送信するための処理負荷を前記状態情報として取得し、
前記変更工程において、前記処理負荷が所定の負荷に達すると前記第１及び第２のフレームレートを下げることを特徴とする請求項９に記載の送信方法。
【請求項１１】
前記取得工程において、送信すべき動画データを入力してから前記第１のフレームレートと前記第２のフレームレートとで前記動画データを送信するまでの時間に関する処理時間を前記状態情報として取得し、
前記変更工程において、前記処理時間が所定の時間を超えると前記第１及び第２のフレームレートを下げることを特徴とする請求項９に記載の送信方法。
【請求項１２】
前記取得工程において、送信待ちの動画データのフレーム数、及び、前記送信待ちの動画データのデータ量のうち、少なくとも一方を前記状態情報として取得し、
前記変更工程において、前記取得されたフレーム数、及び、前記取得されたデータ量のうち、少なくとも一方が所定値を超えると、前記第１及び第２のフレームレートを下げることを特徴とする請求項９に記載の送信方法。
【請求項１３】
複数の異なる解像度で動画データを送信する送信方法であって、
前記送信装置の状態情報を取得する取得工程と、
動画データを送信する送信工程と、
第１の解像度の動画データと、前記第１の解像度よりも低い第２の解像度の動画データとを前記送信工程において送信中に、前記状態情報に応じて動画データのフレームレートを下げるか否か決定し、前記状態情報に応じて動画データのフレームレートを下げ、さらに、前記第１の解像度の動画データのフレームレートを下げ、前記第１の解像度の動画データのフレームレートを下げた後の状態情報に応じて前記第２の解像度の動画データのフレームレートを下げる階否か決定する制御工程とを有することを特徴とする送信方法。
【請求項１４】
複数の異なるフレームレートで動画データを送信するコンピュータに、
前記送信装置の状態情報を取得する取得手順と、
動画データを送信する送信手順と、
第１のフレームレートと、前記第１のフレームレートよりも低い第２のフレームレートとで動画データを前記送信手順において送信中に、送信中の動画データのフレームレートを前記状態情報に応じて下げる場合、前記第１のフレームレートに対して前記第１のフレームレートを下げる割合が、前記第２のフレームレートに対して第２のフレームレートを下げる割合よりも大きくなるように、前記第１及び第２のフレームレートを下げる変更手順とを実行させることを特徴とするプログラム。
【請求項１５】
前記コンピュータに、
前記取得手順において、前記コンピュータが動画データを前記第１のフレームレートと前記第２のフレームレートで送信するための処理負荷を前記状態情報として取得する処理を実行させ、
前記変更手順において、前記処理負荷が所定の負荷に達すると前記第１及び第２のフレームレートを下げる処理を実行させるための請求項１４に記載のプログラム。
【請求項１６】
前記コンピュータに、
前記取得手順において、送信すべき動画データを入力してから前記第１のフレームレートと前記第２のフレームレートとで前記動画データを送信するまでの時間に関する処理時間を前記状態情報として取得する処理を実行させ、
前記変更手順において、前記処理時間が所定の時間を超えると前記第１及び第２のフレームレートを下げる処理を実行させるための請求項１４に記載のプログラム。
【請求項１７】
前記コンピュータに、
前記取得手順において、送信待ちの動画データのフレーム数、及び、前記送信待ちの動画データのデータ量のうち、少なくとも一方を前記状態情報として取得する処理を実行させ、
前記変更手順において、前記取得されたフレーム数、及び、前記取得されたデータ量のうち、少なくとも一方が所定値を超えると、前記第１及び第２のフレームレートを下げる処理を実行させるための請求項１４に記載のプログラム。
【請求項１８】
複数の異なるフレームレートで動画データを送信するコンピュータに、
前記送信装置の状態情報を取得する取得手順と、
動画データを送信する送信手順と、
第１の解像度の動画データと、前記第１の解像度よりも低い第２の解像度の動画データとを前記送信手順において送信中に、前記状態情報に応じて動画データのフレームレートを下げるか否か決定し、前記状態情報に応じて動画データのフレームレートを下げる場合、前記第１の解像度の動画像データのフレームレートを下げ、さらに、前記第１の解像度の動画データのフレームレートを下げた後の状態情報に応じて前記第２の解像度の動画像データのフレームレートを下げるか否かを決定する制御手順とを実行させるためのプログラム。
【手続補正２】
【補正対象書類名】明細書
【補正対象項目名】０００８
【補正方法】変更
【補正の内容】
【０００８】
上記の問題点を解決するために、本発明の送信装置は、例えば以下の構成を有する。す
なわち、複数の異なるフレームレートで動画データを送信する送信装置であって、前記送信装置の状態情報を取得する取得手段と、動画データを送信する送信手段と、第１のフレームレートと、前記第１のフレームレートよりも低い第２のフレームレートとで動画データを前記送信手段が送信中に、送信中の動画データのフレームレートを前記状態情報に応じて下げる場合、前記第１のフレームレートに対して前記第１のフレームレートを下げる割合が、前記第２のフレームレートに対して前記第２のフレームレートを下げる割合よりも大きくなるように、前記第１及び第２のフレームレートを下げる変更手段とを有する。
上記の問題点を解決するために、本発明の送信装置は、例えば以下の構成を有する。す
なわち、複数の異なる解像度で動画データを送信する送信装置であって、前記送信装置の状態情報を取得する取得手段と、動画データを送信する送信手段と、第１の解像度の動画データと、前記第１の解像度よりも低い第２の解像度の動画データとを前記送信手段が送信中に、前記状態情報に応じて動画データのフレームレートを下げるか否か決定し、前記状態情報に応じて動画データのフレームレートを下げる場合、前記第１の解像度の動画データのフレームレートを下げ、前記第１の解像度の動画データのフレームレートを下げた後の状態情報に応じて前記第２の解像度の動画データのフレームレートを下げるか否か決定する制御手段とを有する。